(57)【要約】【課題】袋本体内に収容された内容物から生じる揮発性成分を吸着しにくい嵌合具、及び該嵌合具を備える嵌合具付き袋体を提供することを目的とする。【解決手段】一対の帯状の第１嵌合部材１２及び第２嵌合部材１４を備え、第１嵌合部材１２が、帯状の第１基材１６と、第１基材１６に長手方向に沿って設けられた第１嵌合部１８と、を備え、第２嵌合部材１４が、帯状の第２基材２０と、第２基材２０に長手方向に沿って設けられ、第１嵌合部１８と着脱自在に嵌合する第２嵌合部２２と、を備え、第１基材１８、第２基材２２、第１嵌合部１８及び第２嵌合部２２が、環状オレフィン樹脂を含有する嵌合具１０。【選択図】図１
2016116661.tif 000002
【特許請求の範囲】
【請求項１】
一対の帯状の第１嵌合部材及び第２嵌合部材を備え、
前記第１嵌合部材が、帯状の第１基材と、前記第１基材に長手方向に沿って設けられた第１嵌合部と、を備え、
前記第２嵌合部材が、帯状の第２基材と、前記第２基材に長手方向に沿って設けられ、前記第１嵌合部と着脱自在に嵌合する第２嵌合部と、を備え、
前記第１基材及び前記第２基材のいずれか一方もしくは両方における少なくとも対向面側の部分が、環状オレフィン樹脂を含有することを特徴とする嵌合具。
【請求項２】
さらに、前記第１嵌合部及び第２嵌合部のいずれか一方もしくは両方が、環状オレフィン樹脂を含有する、請求項１に記載の嵌合具。
【請求項３】
内容物を収容する袋本体と、前記袋本体の内面に取り付けられた請求項１又は２に記載の嵌合具と、を具備する、嵌合具付き袋体。
【発明の詳細な説明】
【技術分野】
【０００１】
本発明は、嵌合具及び嵌合具付き袋体に関する。
【背景技術】
【０００２】
食品、薬品、雑貨等を収容する袋体としては、内容物を収容する袋本体と、該袋本体の開口部近傍の内面に、該開口部を開閉自在に封じるように取り付けられた嵌合具と、を具備する嵌合具付き袋体が広く用いられている。嵌合具としては、例えば、帯状の基材及び該基材の長手方向に沿って設けられた雄型嵌合部を備える第１嵌合部材と、帯状の基材及び該基材の長手方向に沿って設けられた雌型嵌合部を備える第２嵌合部材と、を有する嵌合具が挙げられる。袋本体に取り付けた嵌合具における雄型嵌合部と雌型嵌合部とを着脱させることで、袋本体の開口部の開閉が繰り返し行える。
【０００３】
嵌合具の材質としては、通常、直鎖状低密度ポリエチレン（ＬＬＤＰＥ）やエチレン・メタクリル酸共重合体（ＥＭＭＡ）等が用いられる。しかし、このような嵌合具では、揮発性成分を含有する内容物を袋本体に収容する場合に、該揮発性成分が嵌合具に吸着され、該揮発性成分による効果が少なくなる。具体的には、Ｌメントール、カンフル、サリチル酸メチル等の揮発性の薬剤を含有するパップ剤やテープ剤等を袋体内に収容する場合は、該薬剤が嵌合具に吸着されて薬効成分が減少する。
【０００４】
特許文献１には、袋本体の最内層を非吸着性に優れた樹脂（ポリエステル、ポリアミド、ポリアクリロニトリル、ポリ塩化ビニリデン、エチレン・ビニルアルコール共重合体等）で形成した袋体が開示されている。しかし、特許文献１の袋体では、袋本体による揮発性成分の吸着は抑制されるものの、嵌合具による揮発性成分の吸着は充分に抑制できない。
そこで、一般には、嵌合具によって吸着される量を考慮し、吸着されると予想される量の揮発性成分を予め余分に含有させた内容物を袋本体に収容することで、該揮発性成分による効果を確保している。しかし、この方法では、特に薬剤等が高価な場合にコストが高くなる。
【０００５】
特許文献２には、袋本体の内面に取り付けられた、雄型嵌合部を備える第１嵌合部材と雌型嵌合部を備える第２嵌合部材のそれぞれを、ガスバリア性フィルムで覆って密封する袋体が開示されている。特許文献２の袋体では、嵌合具をガスバリア性フィルムで覆うことで、嵌合具による揮発性成分の吸着が低減される。しかし、嵌合具とガスバリア性フィルムを一体に成形することは困難であり、またそれらを別々に取り付けるのは作業が煩雑となる。また、嵌合具からガスバリア性フィルムが剥離して揮発性成分の吸着を抑制する効果が得られなくなるおそれもある。
【先行技術文献】
【特許文献】
【０００６】
【特許文献１】特開２０１２−１５８３７８号公報
【特許文献２】特開２００２−１７３１５４号公報
【発明の概要】
【発明が解決しようとする課題】
【０００７】
本発明は、袋本体内に収容された内容物から生じる揮発性成分を吸着しにくい嵌合具、及び該嵌合具を備える嵌合具付き袋体を提供することを目的とする。
【課題を解決するための手段】
【０００８】
本発明の嵌合具は、一対の帯状の第１嵌合部材及び第２嵌合部材を備え、前記第１の嵌合部材が、帯状の第１基材と、前記第１基材に長手方向に沿って設けられた第１嵌合部と、を備え、前記第２の嵌合部材が、帯状の第２基材と、前記第２基材に長手方向に沿って設けられ、前記第１嵌合部と着脱自在に嵌合する第２嵌合部と、を備え、前記第１基材及び前記第２基材のいずれか一方もしくは両方における少なくとも対向面側の部分が、環状オレフィン脂を含有することを特徴とする。
【０００９】
本発明の嵌合具では、さらに、前記第１嵌合部及び第２嵌合部のいずれか一方もしくは両方が、環状オレフィン樹脂を含有することが好ましい。
【００１０】
本発明の嵌合具付き袋体は、内容物を収容する袋本体と、前記袋本体の内面に取り付けられた本発明の嵌合具と、を具備する。
【発明の効果】
【００１１】
本発明は、袋本体内に収容された内容物から生じる揮発性成分を吸着しにくい嵌合具、及び該嵌合具を備える嵌合具付き袋体を提供することを目的とする。
【図面の簡単な説明】
【００１２】
【図１】本発明の嵌合具の一例を示した断面図である。
【図２】本発明の嵌合具の他の例を示した断面図である。
【図３】本発明の嵌合具の他の例を示した断面図である。
【図４】本発明の嵌合具の他の例を示した断面図である。
【図５】本発明の嵌合具の他の例を示した断面図である。
【図６】本発明の嵌合具の他の例を示した断面図である。
【図７】本発明の嵌合具の他の例を示した断面図である。
【図８】本発明の嵌合具付き袋体の一例を示した断面図である。
【図９】図８の嵌合具付き袋体のＡ−Ａ断面図である。
【図１０】図８の嵌合具付き袋体を開封した様子を示す斜視図である。
【発明を実施するための形態】
【００１３】
＜嵌合具＞
本発明の嵌合具は、内容物を収容する袋本体の内面に、該袋本体に形成される開口部に沿うように取り付けられる嵌合具である。以下、本発明の嵌合具の一例を示して詳細に説明する。
【００１４】
本実施形態例の嵌合具１０は、図１に示すように、一対の帯状の第１嵌合部材１２と第２嵌合部材１４とを備える。
第１嵌合部材１２は、帯状の第１基材１６と、第１基材１６の対向面１６ａに長手方向に沿って設けられた突条の雄側嵌合部からなる第１嵌合部１８とを備える。第２嵌合部材１４は、帯状の第２基材２０と、第２基材２０の対向面２０ａに長手方向に沿って設けられ、第１嵌合部１８と着脱自在に嵌合する雌側嵌合部からなる第２嵌合部２２とを備える。
この例の第１基材１６と第２基材２０は、単層フィルムで形成されている。
【００１５】
嵌合具１０は、袋本体に取り付けられる際、第１基材１６の第１の側縁１６ｂ及び第２基材２０の第１の側縁２０ｂが袋本体に形成される開口部側、第１基材１６の第２の側縁１６ｃ及び第２基材２０の第２の側縁２０ｃが袋本体の内容物側となるように取り付けられる。
【００１６】
第１嵌合部１８は、第１基材１６の対向面１６ａに、第１基材１６の長手方向に沿って設けられている。第１嵌合部１８は、第１基材１６の対向面１６ａから立ち上がる幹部１８ａと、幹部１８ａの先端部に設けられ、幹部１８ａよりも大きい断面略半円形状の頭部１８ｂを備える。
第２嵌合部２２は、第２基材２０の対向面２０ａに、第２基材２０の長手方向に沿って設けられている。第２基材２０は、第２基材２０の対向面２０ａから断面円弧状に立ち上がる第１アーム部２２ａと第２アーム部２２ｂからなり、第１アーム部２２ａと第２アーム部２２ｂによって凹部２２ｃが形成されている。
第１嵌合部１８と第２嵌合部２２は、第１嵌合部１８の頭部１８ｂを第２嵌合部２２の凹部２２ｃに嵌め込むことで、着脱自在に嵌合できるようになっている。
【００１７】
第１嵌合部１８及び第２嵌合部２２の断面形状は、第１嵌合部１８と第２嵌合部２２を互いに着脱することで、袋本体の開口部の開閉が繰り返し行えるものであればよく、公知の断面形状を採用できる。
【００１８】
嵌合具１０においては、第１嵌合部材１２及び第２嵌合部材１４は、環状オレフィン樹脂を含有する。すなわち、第１基材１６、第２基材２０、第１嵌合部１８及び第２嵌合部２２の全てが環状オレフィン樹脂を含有する。これにより、嵌合具１０を取り付けた袋本体内にパップ剤等の揮発性成分を含む内容物を収容したときでも、該揮発性成分が嵌合具１０に吸着しにくくなる。そのため、袋本体内に収容されている状態で揮発性成分の量が少なくなって該揮発性成分による効果が低くなることが抑制される。
【００１９】
環状オレフィン樹脂は、環状構造を有するポリオレフィン樹脂である。環状オレフィン樹脂としては、例えば、二重結合を有する脂環式化合物（環状オレフィン）の付加重合体、二重結合を有する脂環式化合物の開環重合体、α−オレフィンと、二重結合を有する脂環式化合物との共重合体が挙げられる。なかでも、環状オレフィン樹脂としては、α−オレフィンと、二重結合を有する脂環式化合物との共重合体（以下、「環状オレフィン樹脂（Ａ）」ともいう。）が好ましい。
α−オレフィンとしては、例えば、エチレン、プロピレン等が挙げられる。α−オレフィンは、１種を単独で使用してもよく、２種以上を併用してもよい。
脂環式化合物としては、例えば、シクロヘキセン、ジシクロペンタジエン、ノルボルネン、テトラシクロドデセン等が挙げられる。脂環式化合物は、１種を単独で使用してもよく、２種以上を併用してもよい。
【００２０】
環状オレフィン樹脂（Ａ）は、本発明の効果を損なわない範囲であれば、α−オレフィン及び脂環式化合物と共重合可能な他のモノマーに由来する単位を有していてもよい。他のモノマーは、１種を単独で使用してもよく、２種以上を併用してもよい。
【００２１】
環状オレフィン樹脂（Ａ）の全単位に対するα−オレフィンに由来する単位の割合は、５〜５０質量％が好ましく、１０〜４０質量％がより好ましい。α−オレフィンに由来する単位の割合が下限値以上であれば、適度な可撓性を有するため、長尺物を巻芯に巻きつけたり、収納箱にコイル状に収納することができる。α−オレフィンに由来する単位の割合が上限値以下であれば、十分な薬剤非吸着性が得られる。
【００２２】
環状オレフィン樹脂（Ａ）の全単位に対する脂環式化合物に由来する単位の割合は、５０〜９５質量％が好ましく、６０〜９０質量％がより好ましい。脂環式化合物に由来する単位の割合が下限値以上であれば、十分な薬剤非吸着性が得られる。脂環式化合物に由来する単位の割合が上限値以下であれば、適度な可撓性を有するため、長尺物を巻芯に巻きつけたり、収納箱にコイル状に収納することができる。
【００２３】
環状オレフィン樹脂（Ａ）の全単位に対するα−オレフィンに由来する単位と脂環式化合物に由来する単位の割合の合計の割合は、６０質量％以上が好ましく、８０質量％以上が好ましく、１００質量％が特に好ましい。
【００２４】
環状オレフィン樹脂のガラス転移温度は、６０〜１８０℃が好ましく、７０〜１４０℃がより好ましい。環状オレフィン樹脂のガラス転移温度が下限値以上であれば、十分な薬剤非吸着性が得られる。環状オレフィン樹脂のガラス転移温度が上限値以下であれば、十分な可撓性が得られる。
なお、ガラス転移温度は、ＩＳＯ１１３５７−１，２，３に従って測定した値である。
【００２５】
環状オレフィン樹脂の市販品としては、日本ゼオン（株）製の「ゼオノア（登録商標）」、トパスアドバンストポリマーズ社製の「ＴＯＰＡＳ（登録商標）」、三井化学（株）製の「アペル（登録商標）」等が挙げられる。
環状オレフィン樹脂は、１種を単独で使用してもよく、２種以上を併用してもよい。
【００２６】
嵌合具１０における第１基材１６、第２基材２０、第１嵌合部１８及び第２嵌合部２２には、環状オレフィン樹脂以外の他の樹脂が含有されていてもよい。
他の樹脂としては、公知の嵌合具に使用される、環状オレフィン樹脂以外の樹脂が使用でき、例えば、ナイロン、直鎖状低密度ポリエチレン、高圧法低密度ポリエチレン、高密度ポリエチレン、ポリプロピレン、エチレン−（メタ）アクリル酸アルキルエステル共重合体、オレフィン系エラストマー、スチレン系エラストマー、エチレン−酢酸ビニル共重合体、アイオノマー、ポリビニルアルコール等が挙げられる。
他の樹脂は、１種を単独で使用してもよく、２種以上を併用してもよい。
【００２７】
第１基材１６を形成する樹脂の総質量に対する環状オレフィン樹脂の合計質量の割合は、２０〜１００質量％が好ましく、３０〜１００質量％がより好ましい。前記割合が下限値以上であれば、袋本体に収容された内容物から生じる揮発性成分の第１基材１６への吸着が抑制されやすい。また、開封時に袋本体とともに第１基材１６の開口部側の一部が切断される態様とする場合には切断がより容易になる。前記割合が上限値以下であれば、第１基材１６の柔軟性がより良好になる。
第２基材２０を形成する樹脂の総質量に対する環状オレフィン樹脂の合計質量の割合の好ましい範囲は、第１基材１６の場合と同様である。また、第１嵌合部１８及び第２嵌合部２２における環状オレフィン樹脂の割合の好ましい範囲についても、第１基材１６の場合と同様である。
【００２８】
第１基材１６、第２基材２０、第１嵌合部１８及び第２嵌合部２２には、必要に応じて安定剤、酸化防止剤、滑剤、帯電防止剤、着色剤等の公知の添加剤が添加されていてもよい。
【００２９】
第１基材１６の厚さは、０．１〜０．４ｍｍが好ましく、０．１２〜０．３ｍｍがより好ましい。第１基材１６の厚さが下限値以上であれば、嵌合具を袋体に熱溶着したときに、十分なシール強度が得られる。第１基材１６の厚さが上限値以下であれば、十分な柔軟性が得られる。
第２基材２０の厚さの好ましい態様は、第１基材１６の厚さの好ましい態様と同じである。第１基材１６と第２基材２０の厚さは同じであってもよく、異なっていてもよい。
【００３０】
第１基材１６の幅は、２〜６０ｍｍが好ましく、３〜４０ｍｍがより好ましい。第１基材１６の幅が下限値以上であれば、嵌合具を袋体に熱溶着したときに、十分なシール強度が得られる。第１基材１６の幅が上限値以下であれば、取り扱いが容易であり、流通・保管時に嵌合具の変形が生じにくい。
第２基材２０の幅の好ましい態様は、第１基材１６の幅の好ましい態様と同じである。第１基材１６と第２基材２０の幅は同じであってもよく、異なっていてもよい。
【００３１】
（製造方法）
嵌合具１０の製造方法としては、環状オレフィン樹脂を使用する以外は特に限定されず、公知の方法を採用できる。例えば、押出成形により第１嵌合部材１２及び第２嵌合部材１４の製造する方法等が挙げられる。
【００３２】
（作用効果）
以上説明した本発明の嵌合具は、第１基材及び第２基材のいずれか一方もしくは両方における少なくとも対向面側の部分が環状オレフィン樹脂を含有する。これにより、本発明の嵌合具を取り付けた袋本体内に、揮発性成分を含有する内容物を収容しても、該揮発性成分が嵌合具に吸着することが抑制される。そのため、袋本体に収容しているときに該内容物の揮発性成分の量が少なくなって該揮発性成分による効果が低くなることを抑制でき、また嵌合具への吸着量を考慮して予め過剰量の揮発性成分を内容物に含有させなくてもよくなる。
また、本発明の嵌合具においては、さらに第１嵌合部及び第２嵌合部のいずれか一方もしくは両方が環状オレフィン樹脂を含有する態様とすることで、揮発性成分の吸着抑制効果がさらに高まる。
【００３３】
なお、本発明の嵌合具は、前記した嵌合具１０には限定されない。例えば、本発明の嵌合具は、第１基材及び第２基材のいずれか一方もしくは両方における少なくとも対向面側の部分が環状オレフィン樹脂を含有するものであれば、第１基材及び第２基材が多層フィルムで形成されたものであってもよい。
【００３４】
例えば、図２に例示した嵌合具１０Ａであってもよい。図２における図１と同じ部分は同符号を付して説明を省略する。
嵌合具１０Ａは、単層フィルムからなる第１基材１６の代わりに多層フィルムからなる第１基材１６Ａを備え、単層フィルムからなる第２基材２０の代わりに多層フィルムからなる第２基材２０Ａを備える以外は、嵌合具１０と同じである。
【００３５】
第１基材１６Ａは、対向面１６ａ側の非吸着層２４と、非吸着層２４よりも外面側に積層された環状オレフィン樹脂以外の樹脂を主成分とするシール層２６とからなる積層フィルムである。第２基材２０Ａは、対向面２０ａ側の非吸着層２８と、非吸着層２４よりも外面側に積層された環状オレフィン樹脂以外の樹脂を主成分とするシール層３０とからなる積層フィルムである。
なお、本発明においては、「環状オレフィン樹脂以外の樹脂を主成分とする」とは、層中の樹脂の総質量に対して、環状オレフィン樹脂以外の樹脂の合計質量の割合が５０質量％超であることを意味する。
【００３６】
非吸着層２４及び非吸着層２８は、環状オレフィン樹脂を含有する層である。
非吸着層２４及び非吸着層２８には、環状オレフィン樹脂以外の他の樹脂が含有されていてもよい。また、非吸着層２４及び非吸着層２８には、必要に応じて安定剤、酸化防止剤、滑剤、帯電防止剤、着色剤等の公知の添加剤が添加されていてもよい。
【００３７】
非吸着層２４、２８を形成する樹脂の総質量に対する環状オレフィン樹脂の合計質量の割合の好ましい範囲は、嵌合具１０における単層の第１基材１６の場合と同様である。
【００３８】
非吸着層２４の厚さは、０．０１〜０．３９ｍｍが好ましく、０．０２〜０．２９ｍｍがより好ましい。非吸着層２４の厚さが下限値以上であれば、十分な薬剤非吸着性が得られる。非吸着層２４の厚さが上限値以下であれば、十分な柔軟性が得られる。
非吸着層２８の厚さの好ましい態様は、非吸着層２４の厚さの好ましい態様と同じである。
【００３９】
シール層２６としては、嵌合具の基材に使用される公知のシール層が採用でき、例えば、直鎖状低密度ポリエチレン、高圧法低密度ポリエチレン、高密度ポリエチレン、ポリプロピレン、エチレン−（メタ）アクリル酸アルキルエステル共重合体、オレフィン系エラストマー、スチレン系エラストマー、酸変性オレフィン系樹脂、エチレン−酢酸ビニル共重合体、アイオノマー等が挙げられる。シール層２６には環状オレフィン樹脂が含まれていてもよいが、環状オレフィン樹脂以外の樹脂を主成分とし、非吸着層２４，２８よりも環状オレフィン樹脂の配合量は少ない。シール層３０の態様は、シール層２６の態様と同様である。
シール層２６及びシール層３０には、必要に応じて安定剤、酸化防止剤、滑剤、帯電防止剤、着色剤等の公知の添加剤が添加されていてもよい。
【００４０】
シール層２６の厚さは、０．０１〜０．２ｍｍが好ましく、０．０５〜０．１ｍｍがより好ましい。シール層２６の厚さが下限値以上であれば、嵌合具を袋体に熱溶着したときに、十分なシール強度が得られる。シール層２６の厚さが上限値以下であれば、十分な柔軟性が得られる。
シール層３０の厚さの好ましい態様は、シール層２６の厚さの好ましい態様と同じである。
【００４１】
嵌合具１０Ａにおいても、非吸着層２４及び非吸着層２８を備えるため、嵌合具１０Ａを取り付けた袋本体内に揮発性成分を含有する内容物を収容しても、該揮発性成分が嵌合具１０Ａに吸着することが抑制される。
【００４２】
また、図３に例示した嵌合具１０Ｂであってもよい。図３における図１と同じ部分は同符号を付して説明を省略する。
嵌合具１０Ｂは、第１基材１６の代わりに第１基材１６Ｂを備え、第２基材２０の代わりに第２基材２０Ｂを備え、環状オレフィン樹脂以外の樹脂を主成分とする第１嵌合部１８Ｂ及び第２嵌合部２２Ｂを備える以外は、嵌合具１０と同じである。
【００４３】
第１基材１６Ｂは、環状オレフィン樹脂以外の樹脂を主成分とするシール層３２と、シール層３２の対向面１６ａ側における第１嵌合部１８Ｂよりも第１の側縁１６ｂ側に積層された第１非吸着層３４と、シール層３２の対向面１６ａ側における第１嵌合部１８Ｂよりも第２の側縁１６ｃ側に積層された第２非吸着層３６と、を備える。
第２基材２０Ｂは、環状オレフィン樹脂以外の樹脂を主成分とするシール層３８と、シール層３８の対向面２０ａ側における第２嵌合部２２Ｂよりも第１の側縁２０ｂ側に積層された第３非吸着層４０と、シール層３８の対向面２０ａ側における第２嵌合部２２Ｂよりも第２の側縁２０ｃ側に積層された第４非吸着層４２と、を備える。
【００４４】
第１非吸着層３４、第２非吸着層３６、第３非吸着層４０及び第４非吸着層４２の態様としては、非吸着層２４で説明した態様と同様の態様が挙げられ、好ましい態様も同じである。
シール層３２及びシール層３８の態様としては、シール層２６で説明した態様と同様の態様が挙げられる。
【００４５】
第１嵌合部１８Ｂ及び第２嵌合部２２Ｂは、環状オレフィン樹脂以外の樹脂を主成分として形成されている以外は、第１嵌合部１８及び第２嵌合部２２と同じである。環状オレフィン樹脂以外の樹脂としては、前記した他の樹脂が挙げられる。第１嵌合部１８及び第２嵌合部２２は、同じ樹脂で形成されていてもよく、異なる樹脂で形成されていてもよい。
第１基材１６Ｂのシール層３２と第１嵌合部１８Ｂは、同じ樹脂で形成されていてもよく、異なる樹脂で形成されていてもよい。また、第２基材２０Ｂのシール層３８と第２嵌合部２２Ｂは、同じ樹脂で形成されていてもよく、異なる樹脂で形成されていてもよい。
【００４６】
嵌合具１０Ｂにおいても、第１非吸着層３４、第２非吸着層３６、第３非吸着層４０及び第４非吸着層４２を備えるため、嵌合具１０Ｂを取り付けた袋本体内に揮発性成分を含有する内容物を収容しても、該揮発性成分が嵌合具１０Ｂに吸着することが抑制される。
【００４７】
また、図４に例示した嵌合具１０Ｃであってもよい。図４における図３と同じ部分は同符号を付して説明を省略する。
嵌合具１０Ｃは、第２基材２０Ｂにおける第２嵌合部２２Ｂよりも内容物側となる側で、対向面２０ａの第２嵌合部２２Ｂ寄りから立ち上がるリブ４４をさらに備える以外は、嵌合具１０Ｂと同じである。すなわち、嵌合具１０Ｃは、第２基材２０Ｂにおける第２嵌合部２２Ｂと第２の側縁２０ｃの間で、対向面２０ａの第２嵌合部２２Ｂ寄りから立ち上がるリブ４４をさらに備える以外は、嵌合具１０Ｂと同じである。
【００４８】
リブ４４は、環状オレフィン樹脂を含有する。リブ４４により、環状オレフィン樹脂以外の樹脂を主成分として形成された第１嵌合部１８Ｂ及び第２嵌合部２２Ｂに、袋本体に収容された内容物から生じる揮発性成分が吸着されることが抑制されやすくなる。
リブ４４には、環状オレフィン樹脂以外の他の樹脂が含有されていてもよい。また、リブ４４には、必要に応じて安定剤、酸化防止剤、滑剤、帯電防止剤、着色剤等の公知の添加剤が添加されていてもよい。
【００４９】
リブ４４を形成する樹脂の総質量に対する環状オレフィン樹脂の合計質量の割合は、２０〜１００質量％が好ましく、４０〜１００質量％がより好ましい。前記割合が下限値以上であれば、袋本体に収容された内容物から生じる揮発性成分の第１嵌合部１８Ｂ及び第２嵌合部２２Ｂへの吸着が抑制されやすい。前記割合が上限値以下であれば、十分な柔軟性が得られる。
【００５０】
リブ４４は、第１嵌合部１８Ｂと第２嵌合部２２Ｂを嵌合させた状態でリブ４４の先端が第１基材１６Ｂに接するように形成されていることが好ましい。これにより、第１嵌合部１８Ｂ及び第２嵌合部２２Ｂに、袋本体に収容された内容物から生じる揮発性成分が吸着されることがより抑制されやすくなる。
本発明の嵌合具においては、第２基材にリブを設ける代わりに第１基材にリブを設けてもよい。
【００５１】
また、本発明の嵌合具において、嵌合具１０Ｃのようにリブを設ける場合、リブは第１基材と第２基材の両方に設けてもよい。
具体的には、図５に例示した嵌合具１０Ｄであってもよい。図５における図３と同じ部分は同符号を付して説明を省略する。嵌合具１０Ｄは、リブ４５とリブ４６を備える以外は、嵌合具１０Ｂと同じである。
【００５２】
リブ４５は、第１基材１６Ｂにおける第１嵌合部１８Ｂよりも内容物側となる側で、対向面１６ａの第１嵌合部１８Ｂ寄りから立ち上がるように設けられている。すなわち、リブ４５は、第１基材１６Ｂにおける第１嵌合部１８Ｂと第２の側縁１６ｃの間で、対向面１６ａの第１嵌合部１８Ｂ寄りから立ち上がるように設けられている。
リブ４６は、第２基材２０Ｂにおける対向面２０ａのリブ４５と対向する位置から立ち上がるように設けられている。すなわち、リブ４６は、第２基材２０Ｂにおける第２嵌合部２２Ｂと第２の側縁２０ｃの間で、対向面２０ａのリブ４５と対向する位置から立ち上がるように設けられている。
【００５３】
リブ４５、４６は、環状オレフィン樹脂を含有する。リブ４５、４６により、環状オレフィン樹脂以外の樹脂を主成分として形成された第１嵌合部１８Ｂ及び第２嵌合部２２Ｂに、袋本体に収容された内容物から生じる揮発性成分が吸着されることが抑制されやすくなる。
【００５４】
リブ４５、４６を形成する樹脂の総質量に対する環状オレフィン樹脂の合計質量の割合の好ましい範囲は、リブ４４を形成する樹脂の総質量に対する環状オレフィン樹脂の合計質量の割合の好ましい範囲と同様である。
リブ４５を形成する樹脂の総質量に対する環状オレフィン樹脂の合計質量の割合と、リブ４６を形成する樹脂の総質量に対する環状オレフィン樹脂の合計質量の割合は、同じであってもよく、異なっていてもよい。
【００５５】
リブ４５、４６は、第１嵌合部１８Ｂと第２嵌合部２２Ｂを嵌合させた状態でそれらの先端同士が接するように形成されていることが好ましい。これにより、第１嵌合部１８Ｂ及び第２嵌合部２２Ｂに、袋本体に収容された内容物から生じる揮発性成分が吸着されることがより抑制されやすくなる。
本発明の嵌合具においては、第１基材に設けたリブと第２基材にリブとが互いに対向していなくてもよい。例えば、第１基材に設けたリブと第２基材にリブとが、第１嵌合部及び第２嵌合部よりも内容物側で、互いの基材の幅方向に位置がずれるように設けられていてもよい。この場合、第１嵌合部及び第２嵌合部に揮発性成分が吸着されることを抑制しやすい点から、第１基材と第２基材に設けたそれぞれのリブは、第１嵌合部と第２嵌合部を嵌合させた状態で、リブの先端が対向する基材に接するように形成されていることが好ましい。
【００５６】
また、本発明の嵌合具は、嵌合具１０Ｂ〜１０Ｄにおいて、袋本体に取り付けたときに開口部側となる第１の側縁１６ｂ及び第１の側縁２０ｂ側の第１非吸着層３４及び第３非吸着層４０を備えない嵌合具であってもよい。すなわち、第１基材及び第２基材の対向面側における内容物側だけが非吸着層を備える積層構成となっている嵌合具であってもよい。
【００５７】
本発明の嵌合具は、図６に例示した嵌合具１０Ｅであってもよい。図６における図１〜４と同じ部分は同符号を付して説明を省略する。
嵌合具１０Ｅは、第１嵌合部１８Ｂと、第２嵌合部２２Ｂと、第１基材１６における第１嵌合部１８Ｂが設けられた部分１６ｅと、第２基材２０における第２嵌合部２２Ｂが設けられた部分２０ｅとが、環状オレフィン樹脂以外の樹脂を主成分としている以外は、嵌合具１０と同じである。
第１基材１６における部分１６ｅと第１嵌合部１８Ｂは、同じ樹脂で形成されていてもよく、異なる樹脂で形成されていてもよい。また、第２基材２０における部分２０ｅと第２嵌合部２２Ｂは、同じ樹脂で形成されていてもよく、異なる樹脂で形成されていてもよい。
【００５８】
嵌合具１０Ｅにおいても、第１基材１６における部分１６ｅ以外の部分及び第２基材２０における部分２０ｅ以外の部分の少なくとも対向面側に環状オレフィン樹脂が含有されているため、嵌合具１０Ｅを取り付けた袋本体内に揮発性成分を含有する内容物を収容しても、該揮発性成分が嵌合具に吸着することが抑制される。
【００５９】
本発明の嵌合具は、図７に例示した嵌合具１０Ｆであってもよい。図７における図１〜４と同じ部分は同符号を付して説明を省略する。
嵌合具１０Ｆは、第１嵌合部１８の代わりに、環状オレフィン樹脂以外の樹脂を主成分と第１嵌合部１８Ｂを備え、第２嵌合部２２の代わりに、環状オレフィン樹脂以外の樹脂を主成分と第２嵌合部２２Ｂを備える以外は、嵌合具１０と同じである。
【００６０】
嵌合具１０Ｆにおいても、第１基材１６及び第２基材２０の少なくとも対向面側に環状オレフィン樹脂が含有されているため、嵌合具１０Ｆを取り付けた袋本体内に揮発性成分を含有する内容物を収容しても、該揮発性成分が嵌合具に吸着することが抑制される。
【００６１】
また、本発明の嵌合具では、第１基材及び第２基材を積層フィルムとする場合、３層以上の層構成としてもよい。例えば、前記した非吸着層とシール層の間にバリア層を設けてもよい。バリア層の材質としては、ポリビニルアルコール等が挙げられる。また、非吸着層とシール層との間、非吸着層およびシール層とバリア層との間に接着層を設けてもよい。接着層の材質としては、エチレン−酢酸ビニル共重合体等が挙げられる。
【００６２】
また、本発明の嵌合具では、第１基材と第２基材のいずれか一方のみの少なくとも対向面側の部分が環状オレフィン樹脂を含有する態様としてもよい。嵌合具への揮発性成分の吸着をより抑制できる点では、第１基材と第２基材の両方の少なくとも対向面側の部分が環状オレフィン樹脂を含有する態様が好ましい。
また、本発明の嵌合具では、第１嵌合部及び第２嵌合部のいずれか一方のみが環状オレフィン樹脂を含有する態様としてもよい。嵌合具への揮発性成分の吸着をより抑制できる点では、第１嵌合部及び第２嵌合部の両方が環状オレフィン樹脂を含有する態様が好ましい。
【００６３】
また、本発明の嵌合具における第１嵌合部及び第２嵌合部は、雄型嵌合部と雌型嵌合部の組み合わせには限定されない。例えば、第１嵌合部及び第２嵌合部がそれぞれ、並行した複数の雄型嵌合部を有し、互いの雄型嵌合部の頭部を対向する２つの雄型嵌合部の間に挿入して互いに引っ掛けて着脱するようにしてもよい。
【００６４】
＜嵌合具付き袋体＞
本発明の嵌合具付き袋体は、内容物を収容する袋本体と、前記袋本体の内面に取り付けられた本発明の嵌合具とを具備するものである。本発明の嵌合具付き袋体は、本発明の嵌合具を備える以外は公知の態様を採用できる。
【００６５】
以下、本発明の嵌合具付き袋体の一例として、前述した嵌合具１０を備えた嵌合具付き袋体１（以下、「袋体１」という。）について説明する。
本実施形態の袋体１は、図８及び図９に示すように、内容物を収容する密封された状態の袋本体５０と、袋本体５０内の上部の内面に、横方向に沿って取り付けられた嵌合具１０とを具備している。
【００６６】
袋本体５０は、第１のフィルム材５２と第２のフィルム材５４が重ね合わされ、それらの周縁部５６が全てヒートシールされることで形成されており、密封された状態になっている。また、袋本体５０における嵌合具１０よりも上部側には、横方向に沿って切断補助線５８が設けられており、その端部にノッチ６０が形成されている。
【００６７】
嵌合具１０は、嵌合具１０の第１基材１６の外側面１６ｄが袋本体５０の第１のフィルム材５２に溶着され、嵌合具１０の第２基材２０の外側面２０ｄが袋本体５０の第２のフィルム材５４に溶着されている。また、嵌合具１０は、第１基材１６の第１の側縁１６ｂ及び第２基材２０の第１の側縁２０ｂが開口部側、第１基材１６の第２の側縁１６ｃ及び第２基材２０の第２の側縁２０ｃが内容物側となるように取り付けられている。
【００６８】
袋本体５０の形状は、本実施形態では矩形である。ただし、袋本体５０の形状は矩形には限定されない。また、袋本体５０の大きさも特に限定されず、袋本体５０に収容する内容物によって適宜選定すればよい。
【００６９】
袋本体５０を形成する第１のフィルム材５２と第２のフィルム材５４は、ヒートシールにより嵌合具１０を溶着できるものであればよく、内面側からシーラント層と基材層を少なくとも有する積層フィルムが好ましい。
基材層の材質としては、二軸延伸ナイロン、二軸延伸ポリプロピレン等が挙げられる。
シーラント層の材質としては、直鎖状低密度ポリエチレン、高圧法低密度ポリエチレン、高密度ポリエチレン、エチレン−（メタ）アクリル酸アルキルエステル共重合体、無延伸ポリプロピレン、エチレン−酢酸ビニル共重合体、アイオノマー等が挙げられる。
また、シーラント層は、非吸着性を有するものが望ましく、環状オレフィン樹脂を含有するのが好ましい。
また、前記積層フィルムには、バリア層等の機能層を設けてもよい。
また、第１のフィルム材５２と第２のフィルム材５４は、シーラント層のみからなる単層フィルムであってもよい。
【００７０】
切断補助線５８は、袋本体５０における嵌合具１０よりも上部を切断して開封するのを補助する線である。切断補助線５８としては、例えば、袋本体５０の第１のフィルム材５２及び第２のフィルム材５４における切断補助線５８の部分をそれ以外の部分に比べて薄肉化した弱化線、ミシン目からなる弱化線、列状に形成された細孔からなる弱化線が挙げられる。また、切断補助線５８は、前記弱化線には限定されず、ハサミやカッター等で切断する位置を示す、印刷等で形成した線であってもよい。
切断補助線５８は、本実施形態では袋本体５０の横方向に沿って形成されているが、この形態には限定されず、袋本体５０の幅方向に対して傾斜して設けられていてもよい。
【００７１】
ノッチ６０の形状は、この例では三角形状であるが、特に限定されず、半円形状、直線状等であってもよい。
袋体１は、嵌合具１０を用いる以外は公知の方法で製造できる。
【００７２】
（作用効果）
袋体１では、嵌合具１０を用いているため、袋本体５０内に揮発性成分を含有する内容物を収容しても、該揮発性成分が嵌合具１０に吸着されることが抑制される。
袋体１の開封時には、ノッチ６０から切断補助線５８に沿って袋本体５０の上部を切断して除去することで、図１０に示すように、上部に開口部６２を形成して開封することができる。袋体１に形成した開口部６２は、嵌合具１０の第１嵌合部１８と第２嵌合部２２を着脱することで繰り返し開閉できる。
【００７３】
なお、本発明の嵌合具付き袋体は、前述した袋体１には限定されない。
例えば、本発明の嵌合具付き袋体は、前記したような嵌合具１０以外の本発明の嵌合具を具備する嵌合具付き袋体であってもよい。
また、嵌合具付き袋体の袋本体は特に限定されず、嵌合具付き袋体の袋本体として知られる様々な形態の袋本体を採用できる。例えば、袋体１は切断補助線５８を利用して開封するまでは密封状態の袋体であるが、予め開口部が形成された袋本体を有する嵌合具付き袋体であってもよい。
【符号の説明】
【００７４】
１  嵌合具付き袋体
１０，１０Ａ〜１０Ｆ  嵌合具
１２  第１嵌合部材
１４  第２嵌合部材
１６，１６Ａ，１６Ｂ  第１基材
１８，１８Ｂ  第１嵌合部
２０，２０Ａ，２０Ｂ  第２基材
２２，２２Ｂ  第２嵌合部
２４，２８，３４，３６，４０，４２  非吸着層
２６，３０，３２，３８  シール層
４４〜４６  リブ
５０  袋本体
【図１】
2016116661.tif 000003
【図２】
2016116661.tif 000004
【図３】
2016116661.tif 000005
【図４】
2016116661.tif 000006
【図５】
2016116661.tif 000007
【図６】
2016116661.tif 000008
【図７】
2016116661.tif 000009
【図８】
2016116661.tif 000010
【図９】
2016116661.tif 000011
【図１０】
2016116661.tif 000012